(57)【特許請求の範囲】
【請求項１】
各々の先端に被接触部位に当接されるコンタクト部を有する第１および第２の２本のテストプローブを用いて電気測定を行う際に用いられる電気測定用操作具であって、
上記第１テストプローブを保持する第１プローブ保持孔を有する第１プローブホルダと、上記第２テストプローブを保持する第２プローブ保持孔を有する第２プローブホルダとを含み、上記第１プローブホルダおよび上記第２プローブホルダは、連結手段を介して上記コンタクト部同士が離反もしくは接近する方向に回動可能に連結されており、
上記連結手段は、上記第１、第２プローブ保持孔の各軸線を含む仮想平面に沿って互いに重なり合うように上記第１、第２プローブホルダの対向する側部にそれぞれ連設された第１連結部と第２連結部とを備え、いずれか一方の上記連結部には、上記仮想平面に対して直交する回動軸線を中心とする円弧状のガイド凹部が形成されているとともに、いずれか他方の上記連結部には、上記ガイド凹部と同曲率でかつ周方向長さが上記ガイド凹部よりも短い円弧状で上記ガイド凹部内に嵌合するガイドリブが形成されており、
上記ガイド凹部と上記ガイドリブの組合せを第１回動ガイド手段として、上記第１連結部と上記第２連結部との間には、上記回動軸線を中心として同曲率で円弧状に形成され、上記第１プローブホルダと上記第２プローブホルダの回動に伴って相対的に摺動する凸曲面と凹曲面との組合せからなる第２回動ガイド手段がさらに設けられていることを特徴とするテストプローブの電気測定用操作具。
【請求項２】
上記第１連結部と上記第２連結部との間には、上記コンタクト部同士を互いに離反もしくは接近する方向にバネ付勢する付勢手段が設けられていることを特徴とする請求項１に記載のテストプローブの電気測定用操作具。
【請求項３】
上記連結手段は、上記回動軸線上で上記第１、第２連結部のいずれか一方に設けられたナットと、いずれか他方から上記ナットに螺合される雄ネジとの組合せからなり、上記雄ネジまたは上記ナットの締付により、上記第１連結部と上記第２連結部との間に上記バネ付勢力に抗して上記各プローブホルダを所定の開き角に保持し得る摩擦力を発生させる緊締手段を備えていることを特徴とする請求項２に記載のテストプローブの電気測定用操作具。
【請求項４】
各々の先端に被接触部位に当接されるコンタクト部を有する第１および第２の２本のテストプローブを用いて電気測定を行う際に用いられる電気測定用操作具であって、
上記第１テストプローブを保持する第１プローブ保持孔を有する第１プローブホルダと、上記第２テストプローブを保持する第２プローブ保持孔を有する第２プローブホルダとを含み、上記第１プローブホルダおよび上記第２プローブホルダは、連結手段を介して上記コンタクト部同士が離反もしくは接近する方向に回動可能に連結されており、
上記連結手段は、上記第１、第２プローブ保持孔の各軸線を含む仮想平面に沿って互いに重なり合うように上記第１、第２プローブホルダの対向する側部にそれぞれ連設された第１および第２連結部と、上記仮想平面に対して直交する軸線を有し上記第１、第２連結部を回動可能に連結する連結軸とを有するとともに、上記第１連結部と上記第２連結部との間には、上記コンタクト部同士を互いに離反もしくは接近する方向にバネ付勢する付勢手段が設けられており、
上記連結軸は、上記第１、第２連結部のいずれか一方に設けられたナットと、いずれか他方から上記ナットに螺合される雄ネジの組合せからなり、上記雄ネジまたは上記ナットの締付によって、上記第１連結部と上記第２連結部との間に上記バネ付勢力に抗して上記各プローブホルダを所定の開き角に保持し得る摩擦力が発生することを特徴とするテストプローブの電気測定用操作具。
【請求項５】
上記第１プローブホルダおよび上記第２プローブホルダの各先端側には、上記第１，第２テストプローブの各コンタクト部が接触して短絡しない最小間隔を規定するストッパー部が設けられていることを特徴とする請求項１ないし４のいずれか１項に記載のテストプローブの電気測定用操作具。
【請求項６】
上記第１プローブホルダと上記第２プローブホルダはともに、内部に上記プローブ保持孔を有する筒状体をその軸線に沿って２分割してなる一対の半割筒状メンバーを含み、上記各半割筒状メンバーの一辺側がヒンジ連結されているとともに、他辺側には解離可能な口金手段が設けられていることを特徴とする請求項１ないし５のいずれか１項に記載のテストプローブの電気測定用操作具。
【請求項７】
上記第１プローブホルダと上記第２プローブホルダの先端部には、それぞれ、上記テストプローブに設けられている鍔部を係止する係止部が設けられていることを特徴とする請求項１ないし６のいずれか１項に記載のテストプローブの電気測定用操作具。
【発明の詳細な説明】
【技術分野】
【０００１】
本発明は、２本のテストプローブを用いて電気測定を行う際に用いられるテストプローブの電気測定用操作具に関し、さらに詳しく言えば、片手で２本のテストプローブを操作して測定することができるようにしたテストプローブの電気測定用操作具に関するものである。
【背景技術】
【０００２】
電気測定方法の１つとして、２本のテストプローブをテスター等の電気測定器に接続して、被測定対象の検査部位の２点間の電気的特性を測定する方法がある。この種のテストプローブには、特許文献１に記載されているように、ペン型のグリップ部の先端に金属製のコンタクト部（探針）を備え、他端から電気測定器に接続されるリード線が引き出されたプローブが多用されている。
【０００３】
通常、この種のテストプローブを用いて電圧や電流等を測定するにあたっては、プラス側とマイナス側の２本のテストプローブをそれぞれ片手で把持して、例えば配電盤の端子台等の被測定部位に接触させるようにしている。
【０００４】
したがって、測定中は両手が塞がってしまうため、測定中に測定器の数値を読み取ったり、測定値を記録したりすることが困難となる場合がある。片手で２本のテストプローブを操作できると都合がよい。
【先行技術文献】
【特許文献】
【０００５】
【特許文献１】特開平１０−２３９３５０号公報
【発明の概要】
【発明が解決しようとする課題】
【０００６】
したがって、本発明の課題は、２本のテストプローブを片手で同時に操作することができるようにしたテストプローブの電気測定用操作具を提供することにある。
【課題を解決するための手段】
【０００７】
上述した課題を解決するため、請求項１に係る発明は、各々の先端に被接触部位に当接されるコンタクト部を有する第１および第２の２本のテストプローブを用いて電気測定を行う際に用いられる電気測定用操作具であって、
上記第１テストプローブを保持する第１プローブ保持孔を有する第１プローブホルダと、上記第２テストプローブを保持する第２プローブ保持孔を有する第２プローブホルダとを含み、上記第１プローブホルダおよび上記第２プローブホルダは、連結手段を介して上記コンタクト部同士が離反もしくは接近する方向に回動可能に連結されており、
上記連結手段は、上記第１、第２プローブ保持孔の各軸線を含む仮想平面に沿って互いに重なり合うように上記第１、第２プローブホルダの対向する側部にそれぞれ連設された第１連結部と第２連結部とを備え、いずれか一方の上記連結部には、上記仮想平面に対して直交する回動軸線を中心とする円弧状のガイド凹部が形成されているとともに、いずれか他方の上記連結部には、上記ガイド凹部と同曲率でかつ周方向長さが上記ガイド凹部よりも短い円弧状で上記ガイド凹部内に嵌合するガイドリブが形成されており、
上記ガイド凹部と上記ガイドリブの組合せを第１回動ガイド手段として、上記第１連結部と上記第２連結部との間には、上記回動軸線を中心として同曲率で円弧状に形成され、上記第１プローブホルダと上記第２プローブホルダの回動に伴って相対的に摺動する凸曲面と凹曲面との組合せからなる第２回動ガイド手段がさらに設けられていることを特徴としている。
【０００８】
請求項２に係る発明は、請求項１において、上記第１連結部と上記第２連結部との間には、上記コンタクト部同士を互いに離反もしくは接近する方向にバネ付勢する付勢手段が設けられていることを特徴としている。
【０００９】
請求項３に係る発明は、請求項２において、上記連結手段は、上記回動軸線上で上記第１、第２連結部のいずれか一方に設けられたナットと、いずれか他方から上記ナットに螺合される雄ネジとの組合せからなり、上記雄ネジまたは上記ナットの締付により、上記第１連結部と上記第２連結部との間に上記バネ付勢力に抗して上記各プローブホルダを所定の開き角に保持し得る摩擦力を発生させる緊締手段を備えていることを特徴している。
【００１０】
請求項４に係る発明は、各々の先端に被接触部位に当接されるコンタクト部を有する第１および第２の２本のテストプローブを用いて電気測定を行う際に用いられる電気測定用操作具であって、
上記第１テストプローブを保持する第１プローブ保持孔を有する第１プローブホルダと、上記第２テストプローブを保持する第２プローブ保持孔を有する第２プローブホルダとを含み、上記第１プローブホルダおよび上記第２プローブホルダは、連結手段を介して上記コンタクト部同士が離反もしくは接近する方向に回動可能に連結されており、
上記連結手段は、上記第１、第２プローブ保持孔の各軸線を含む仮想平面に沿って互いに重なり合うように上記第１、第２プローブホルダの対向する側部にそれぞれ連設された第１および第２連結部と、上記仮想平面に対して直交する軸線を有し上記第１、第２連結部を回動可能に連結する連結軸とを有するとともに、上記第１連結部と上記第２連結部との間には、上記コンタクト部同士を互いに離反もしくは接近する方向にバネ付勢する付勢手段が設けられており、
上記連結軸は、上記第１、第２連結部のいずれか一方に設けられたナットと、いずれか他方から上記ナットに螺合される雄ネジの組合せからなり、上記雄ネジまたは上記ナットの締付によって、上記第１連結部と上記第２連結部との間に上記バネ付勢力に抗して上記各プローブホルダを所定の開き角に保持し得る摩擦力が発生することを特徴としている。
【００１１】
請求項５に係る発明は、請求項１ないし４のいずれか１項において、上記第１プローブホルダおよび上記第２プローブホルダの各先端側には、上記第１，第２テストプローブの各コンタクト部が接触して短絡しない最小間隔を規定するストッパー部が設けられていることを特徴としている。
【００１２】
請求項６に係る発明は、請求項１ないし５のいずれか１項において、上記第１プローブホルダと上記第２プローブホルダはともに、内部に上記プローブ保持孔を有する筒状体をその軸線に沿って２分割してなる一対の半割筒状メンバーを含み、上記各半割筒状メンバーの一辺側がヒンジ連結されているとともに、他辺側には解離可能な口金手段が設けられていることを特徴としている。
【００１３】
また、請求項７に係る発明は、請求項１ないし６のいずれか１項において、上記第１プローブホルダと上記第２プローブホルダの先端部には、それぞれ、上記テストプローブに設けられている鍔部を係止する係止部が設けられていることを特徴としている。
【発明の効果】
【００１８】
本発明によれば、連結手段を介して回動可能に連結された第１プローブホルダと第２プローブホルダに、それぞれ、テストプローブを取り付けることにより、２本のテストプローブを片手で簡単に操作することができる。
【図面の簡単な説明】
【００１９】
【図１】本発明の一実施形態に係るテストプローブの電気測定用操作具の使用状態を示す（ａ）斜視図および（ｂ）テストプローブの斜視図。
【図２】上記電気測定用操作具の（ａ）正面図，（ｂ）背面図，（ｃ）平面図および（ｄ）底面図。
【図３】上記電気測定用操作具の（ａ）左側面図および（ｂ）右側面図。
【図４】上記電気測定用操作具の図２（ｄ）のＡ−Ａ線断面図。
【図５】上記電気測定用操作具の蓋部材を開いた状態を示す斜視図。
【図６】上記電気測定用操作具の連結手段の内部構造を示す部分断面図。
【図７】上記連結手段の内部構造を示す（ａ）平面視側の分解斜視図および（ｂ）底面視側の分解斜視図。
【図８】テストプローブを最小ピッチとした状態を示す（ａ）斜視図および（ｂ）ストッパ部を拡大した模式図。
【発明を実施するための形態】
【００２０】
次に、本発明の実施形態について図面を参照しながら説明するが、本発明はこれに限定されるものではない。
【００２１】
図１（ａ）に示すように、本発明は、図示しないテスター等の測定器本体に接続される２本のテストプローブＰ１，Ｐ２を片手で保持するための電気測定用操作具１である。
【００２２】
この実施形態で使用するテストプローブＰ１，Ｐ２は、図１（ｂ）に示すように、ともに先端側から後端側に向かうにつれて外径が漸次細くなるペンシル型のグリップ部Ｇ１，Ｇ２を有し、その先端にはコンタクト部（探針とも言う）Ｃ１，Ｃ２が設けられている。
【００２３】
また、テストプローブＰ１，Ｐ２の後端からは、それぞれ、上記測定器本体に接続されるリード線Ｌ１，Ｌ２が引き出されている。リード線Ｌ１，Ｌ２には、コネクタ端子Ｊ１，Ｊ２（この実施形態ではバナナ型プラグ）が取り付けられている。
【００２４】
テストプローブＰ１，Ｐ２は、それぞれ先端側の所定部位に、測定作業時に指がコンタクト部Ｃ１，Ｃ２方向にずれないように注意を喚起するための鍔部（環状突起でバリアとも言う）Ｆ１，Ｆ２を備えている。
【００２５】
なお、テストプローブＰ１，Ｐ２を区別する必要がない場合には、総称としてテストプローブＰと言い、また、鍔部Ｆ１，Ｆ２、コンタクト部Ｃ１，Ｃ２、グリップ部Ｇ１，Ｇ２についても、区別する必要がない場合には、同様に総称として鍔部Ｆ、コンタクト部Ｃ、グリップ部Ｇと言う。
【００２６】
図２と図３、図５を併せて参照して、この電気測定用操作具１は、一方の第１テストプローブＰ１を保持する第１プローブホルダ２と、他方の第２テストプローブＰ２を保持する第２プローブホルダ３とを有し、それらが連結手段４を介して回動可能に連結されている。なお、電気測定用操作具１の筐体は絶縁性を有するプラスチック製である。
【００２７】
第１プローブホルダ２は、筒状体をその軸線に沿ってほぼ半割（２分割）した形状の一対の半割筒状メンバーを含み、この実施形態では、説明の便宜上、一方の半割筒状メンバーをホルダ本体２１とし、他方の半割筒状メンバーを蓋部材２２とする。
【００２８】
ホルダ本体２１と蓋部材２２は、それらの一辺側（開閉の基端側）がヒンジ機構で開閉可能に連結されており、閉じた状態で内部にプローブ保持孔２３が形成される。ホルダ本体２１と蓋部材２２の開閉される他辺側には、係合凸部２４ａと、その相手方としての係合孔２４１を有する係合受け部２４ｂとの組合せからなる解離可能な口金手段（ロック手段）２４が設けられている。
【００２９】
テストプローブＰ１は、蓋部材２２を開いた状態で第１プローブホルダ２内に収納され、蓋部材２２を閉じて係合突部２４ａを係合受け部２４ｂの係合孔２４１に係合させて口金手段２４で閉止することにより、プローブ保持孔２３内に保持される。
【００３０】
テストプローブＰ１をしっかりと保持することを意図して、プローブ保持孔２３の先端側開口部２３１は、グリップ部Ｇ１の鍔部Ｆ１の付け根部付近の外径とほぼ合致するように形成されている。好ましくは、プローブ保持孔２３の後端側開口部２３２も、グリップ部Ｇ１の後端の外径とほぼ合致するように形成されているとよい。
【００３１】
また、ホルダ本体２１の先端には、テストプローブＰ１の鍔部Ｆ１の一部が係止される第１係止部２６が設けられている。第１係止部２６は、ホルダ本体２１の先端底部から突設され、鍔部Ｆ１の一部が係止される第１係止凹部２６１を備えている。この第１係止凹部２６１により、テストプローブＰ１の軸方向のずれが封じられ、テストプローブＰ１が正確に位置決めされる。
【００３２】
蓋部材２２は、その一辺側（開閉の基端側）がヒンジ機構を介してホルダ本体２１の対応する一辺側に回動可能（開閉可能）に連結されている。口金手段２４について、この実施形態とは異なり、係合凸部２４ａを蓋部材２２側とし、係合受け部２４ｂをホルダ本体２１側としてもよい。
【００３３】
また、ヒンジ機構について、この実施形態では、図５と図７（ａ）を参照して、蓋部材２２の一辺側の両端に、ホルダ本体２１の同じく一辺側にあるリブ壁２３３の端部２３３ａ，２３３ａと対向する円柱状の軸受部２２２，２２２を設け、その各々の軸受部２２２と端部２３３ａとの対向面の一方に半球状突部、他方に半球状凹部（ともに図示しない）を同軸に設けてヒンジ機構としている。ヒンジ機構は、薄肉ヒンジであってもよい。
【００３４】
第１プローブホルダ２の側面（図２（ｄ）では正面）には、この操作具１を手で把持する際に、指（通常は親指もしくは人差し指）が掛けられる第１指掛け部２５が設けられている。第１指掛け部２５は、ホルダ本体２１の側面と蓋部材２２の側面の両方に跨がるように形成されており、表面に滑り止め用の凹凸が形成されている。
【００３５】
次に、第２プローブホルダ３も、第１プローブホルダ２と同じく、筒状体をその軸線に沿ってほぼ半割（２分割）した形状の一対の半割筒状メンバーを含み、この実施形態では、説明の便宜上、一方の半割筒状メンバーをホルダ本体３１とし、他方の半割筒状メンバーを蓋部材３２とする。
【００３６】
ホルダ本体３１と蓋部材３２は、それらの一辺側（開閉の基端側）がヒンジ機構で開閉可能に連結されており、閉じた状態で内部にプローブ保持孔３３が形成される。ヒンジ機構は、第１プローブホルダ２に適用されているヒンジ機構と同じであってよい。
【００３７】
図２（ｃ）を参照して、ホルダ本体３１と蓋部材３２の開閉される他辺側には、係合凸部３３ａと、その相手方としての係合孔３４１を有する係合受け部３３ｂとの組合せからなる解離可能な口金手段３４が設けられている。
【００３８】
テストプローブＰ２は、蓋部材３２を開いた状態で第２プローブホルダ３内に収納され、蓋部材３２を閉じて係合突部３３ａを係合受け部３３ｂの係合孔３４１に係合させて口金手段３４で閉止することにより、プローブ保持孔３３内に保持される。
【００３９】
テストプローブＰ２をしっかりと保持することを意図して、プローブ保持孔３３の先端側開口部３３１は、グリップ部Ｇ２の鍔部Ｆ２の付け根部付近の外径とほぼ合致するように形成されている。好ましくは、プローブ保持孔３３の後端側開口部３３２も、グリップ部Ｇ２の後端の外径とほぼ合致するように形成されているとよい。
【００４０】
また、ホルダ本体３１の先端には、テストプローブＰ２の鍔部Ｆ２の一部が係止される第２係止部３６が設けられている。第２係止部３６は、ホルダ本体３１の先端底部から突設され、鍔部Ｆ２の一部が係止される第２係止凹部３６１を備えている。この第２係止凹部３６１により、テストプローブＰ２の軸方向のずれが封じられ、テストプローブＰ２が正確に位置決めされる。
【００４１】
蓋部材３２は、第１プローブホルダ２側の蓋部材２２と同じ構成であってよい。また、図２（ｃ）に示すように、第２プローブホルダ３の側面にも、第１プローブホルダ２と同じく、この操作具１を手で把持する際に、指（通常は親指もしくは人差し指）が掛けられる第２指掛け部３５が設けられている。第２指掛け部３５は、ホルダ本体３１の側面と蓋部材３２の側面の両方に跨がるように形成されており、表面に滑り止め用の凹凸が形成されている。
【００４２】
次に、図４、図６および図７を併せて参照して、第１プローブホルダ２と第２プローブホルダ３とを連結する連結手段４の構成について説明する。
【００４３】
連結手段４は、基本的な構成として、第１プローブホルダ２側の第２プローブホルダ３と対向する側面に設けられた第１連結部としての軸受ケース４１と、第２プローブホルダ３側の第１プローブホルダ２と対向する側面に設けられた第２連結部としての連結板４２とを備えている。
【００４４】
軸受ケース４１と連結板４２との間には、第１および第２の２つの回動ガイド手段が設けられているとともに、軸受ケース４１と連結板４２には、それらの間に摩擦力を発生させて第１プローブホルダ２と第２プローブホルダ３を所定の開き角に保持するための緊締手段としての緊締ネジ４３が設けられている。
【００４５】
この実施形態において、軸受ケース４１は、第１プローブホルダ２のホルダ本体２１に一体に形成された箱形フレームからなり、その内部の２箇所にケースカバー４１０をネジ止めするための雌ネジ孔を有するボス部４１１，４１１が設けられている。
【００４６】
軸受ケース４１の側面（第２プローブホルダ３と対向する面）には、連結板４２を軸受ケース４１内に入れるための開口部４４が設けられている。ケースカバー４１０には、緊締ネジ４３が螺合される六角ナット４５１が設けられ、軸受ケース４１には、緊締ネジ４３が挿通されるネジ挿通孔４１２が設けられている。
【００４７】
連結板４２は、第２プローブホルダ３のホルダ本体３１に一体的に形成されており、その中央部分には、緊締ネジ４３が挿通されるネジ挿通孔４２１が設けられている。ネジ挿通孔４１２，４２１および六角ナット４５１は、第１プローブホルダ２と第２プローブホルダ３の回動基点となる回動軸線Ｙ（図４参照）上に配置されている。
【００４８】
この実施形態において、連結板４２側には、第１回動ガイド手段の一方の構成要素として、上記回動軸線Ｙを中心とする円弧状のガイド孔４２４が形成されているとともに、軸受ケース４１側には、第１回動ガイド手段の他方の構成要素としてガイドリブ４１４が形成されている。
【００４９】
ガイドリブ４１４は、ガイド孔４２４と同曲率でかつ周方向長さがガイド孔４２４よりも短い円弧状でガイド孔４２４内に嵌合する。第１プローブホルダ２と第２プローブホルダ３は、ガイド孔４２４内でガイドリブ４１４が動き得る範囲内で回動する。ガイド孔４２４は溝であってもよい。
【００５０】
また、連結板４２の周端縁には、第２回動ガイド手段の一方の構成要素として、上記回動軸線Ｙを中心とする円弧状の凸曲面４２５が形成されている。これに対して、軸受ケース４１側には、第２回動ガイド手段の他方の構成要素としての凹曲面４１６を有する衝立部４１５が設けられている。
【００５１】
凹曲面４１６は凸曲面４２５と同曲率の円弧状として形成されており、凹曲面４１６と凸曲面４２５は、第１プローブホルダ２と第２プローブホルダ３の回動に伴って相対的に摺動する。
【００５２】
連結板４２の一方の面（図４で下面、図７（ｂ）では上面）には、円筒状のスリーブ部４２２がネジ挿通孔４２１の周りに同軸的に形成されており、その外周には、トーションばね４６のコイル部分４６０が嵌装されている。
【００５３】
また、連結板４２の一方の面には、トーションばね４６の一方の端部４６１が係止される係止片４２３が設けられている。トーションばね４６の他方の端部４６２は、軸受ケース４１の内壁に係止され、これにより、プローブホルダ２，３を介してテストプローブＰ１，Ｐ２のコンタクト部Ｃ１，Ｃ２が互いに離反する方向にバネ付勢される。なお、プローブホルダ２，３は、互いに接近する方向にバネ付勢されてもよい。
【００５４】
緊締ネジ４３は、ねじ頭にツマミ部４３１を備えた雄ネジ軸４３２からなり、軸受ケース４１のネジ挿通孔４１２および連結板４２のネジ挿通孔４２１を通ってケースカバー４１０に設けられている六角ナット４５１に螺合する。
【００５５】
この実施形態において、緊締ネジ４３はもう一つの六角ナット４５２を備えているとともに、図７（ｂ）に示すように、ツマミ部４３１の裏側には六角ナット４５２が嵌合される六角穴４３３が設けられている。
【００５６】
これによれば、雄ネジ軸４３２の基端側に六角ナット４５２を取り付けて、六角ナット４５２を六角穴４３３に嵌合することにより、ツマミ部４３１と雄ネジ軸４３２とを一体として回転させることができる。なお、六角ナット４５１，４５２に代えて、例えば四角ナットやＤカット部を有するナット等が用いられてもよい。
【００５７】
第１プローブホルダ２と第２プローブホルダ３は、緊締ネジ４３の軸線を中心として回動可能であるが、緊締ネジ４３を締め付ける方向に回すことにより、トーションばね４６の付勢力に抗して第１プローブホルダ２と第２プローブホルダ３を所定の開き角に保持することができる。
【００５８】
すなわち、図４に示すように、ツマミ部４３１を回して緊締ネジ４３を締め付けることにより、軸受ケース４１の底面に対して連結板４２が引き寄せられ、回動力に抗する摩擦力が発生する。
【００５９】
したがって、その摩擦力がトーションばね４６によるバネ付勢力に打ち勝つように緊締ネジ４３を締め付けることにより、第１プローブホルダ２と第２プローブホルダ３を任意の開き角を保った状態で固定することができる。
【００６０】
なお変形例として、図４において、雄ネジ軸４３２を逆様としてケースカバー４１０側に一体的に固定し、ツマミ部４３１には六角ナット４５２を六角穴４３３に嵌合させた状態で残し、六角ナット４５２を雄ネジ軸４３２の端部に螺合させれば、ツマミ部４３１とともに六角ナット４５２を回して緊締ネジ４３を締め付けて、第１プローブホルダ２と第２プローブホルダ３を任意の開き角を保った状態で固定することができる。
【００６１】
上記実施形態では、少なくとも第１回動ガイド手段（円弧状のガイド孔４２４と同曲率の円弧状のガイドリブ４１４とからなる回動ガイド手段）により、プローブホルダ２，３を回動可能としているが、これとは別に、緊締ネジ４３を回動用の連結ネジとしてプローブホルダ２，３を回動可能に連結するようにしてもよい。
【００６２】
次に、図８（ａ），（ｂ）をさらに参照して、第１プローブホルダ２と第２プローブホルダ３との間には、最小ピッチとした場合、テストプローブＰ１のコンタクト部Ｃ１とテストプローブＰ２のコンタクト部Ｃ２同士が接触して短絡しないようにするためのストッパー部５が設けられている。
【００６３】
ストッパー部５は、第１プローブホルダ２の先端側の側面（第２プローブホルダ３と対向する内側の側面）に設けられた第１凸部５１と、第２プローブホルダ３の先端側の側面（第１プローブホルダ２と対向する内側の側面）に設けられた第２凸部５２とを備えている。
【００６４】
これによれば、図７（ｂ）に示すように、第１プローブホルダ２の先端と第２プローブホルダ３の先端とが最も近接した状態で第１凸部５１と第２凸部５２とが当接することにより、テストプローブＰ１のコンタクト部Ｃ１とテストプローブＰ２のコンタクト部Ｃ２が所定のピッチを持って保持され、その結果、先端同士が接触して短絡することが防止される。第１凸部５１と第２凸部５２とが当接したとき、コンタクト部Ｃ１，Ｃ２が最小ピッチとなる。
【００６５】
なお、ストッパー部５の変形例として、いずれか一方のプローブホルダ側のみに、第１凸部５１と第２凸部５２を合わせた高さを有する凸部を設けてもよい。
【００６６】
本発明によれば、連結手段４を介して回動可能に連結された第１プローブホルダ２と第２プローブホルダ３に、それぞれ、テストプローブＰ１，Ｐ２を取り付けることにより、２本のテストプローブを片手で簡単に操作することができる。
【符号の説明】
【００６７】
１  テストプローブの電気測定用操作具
２  第１プローブホルダ
３  第２プローブホルダ
２１，３１  ホルダ本体
２２，３２  蓋部材
２３，３３  プローブ保持孔
２４，３４  口金手段
２６，３６  係止部
４  連結手段
４１  軸受ケース（第１連結部）
４２  連結板（第２連結部）
４３  緊締ネジ
５  ストッパー部
Ｐ  テストプローブ
Ｃ  コンタクト部
Ｆ  鍔部
【図１】
0006741483.tif 000002
【図２】
0006741483.tif 000003
【図３】
0006741483.tif 000004
【図４】
0006741483.tif 000005
【図５】
0006741483.tif 000006
【図６】
0006741483.tif 000007
【図７】
0006741483.tif 000008
【図８】
0006741483.tif 000009